(57)【要約】【課題】３Ｄ映像表示装置において、サムネイル等を３Ｄ映像で表示する際の、ユーザに与える不快感を低減することが課題となっていた。【解決手段】実施形態の３Ｄ映像出力装置は、３Ｄ表示可能な映像コンテンツに係るサムネイルの、表示角度に係る情報を受信する角度情報受信部を備える。また、前記受信した角度情報に基づいて、前記サムネイルが斜め表示されるかを判別する回転判別部を備える。また、前記サムネイルが斜め表示されると判別される場合は前記サムネイルが２Ｄ表示されるように映像信号を出力し、前記サムネイルが斜め表示されないと判別される場合は前記サムネイルが３Ｄ表示されるように映像信号を出力する映像信号出力部を備える。【選択図】  図３
2012019414.tif 000002
【特許請求の範囲】
【請求項１】
３Ｄ表示可能な映像コンテンツに係るサムネイルが、斜め表示されるかを判別する斜め表示判別部と、
前記サムネイルが斜め表示されると判別される場合は、２Ｄ表示されるように前記サムネイルに係る映像信号を出力し、前記サムネイルが斜め表示されないと判別さる場合は、３Ｄ表示されるように前記サムネイルに係る映像信号を出力する映像信号出力部を備える３Ｄ映像出力装置。
【請求項２】
前記斜め表示判別部は、３Ｄ表示可能な映像コンテンツに係るサムネイルの表示角度を用いて、サムネイルが斜め表示されるかを判別する請求項１に記載の３Ｄ映像出力装置。
【請求項３】
前記サムネイルの表示角度は、予め設けられた基準値と比較される請求項２に記載の３Ｄ映像出力装置。
【請求項４】
前記基準値は角度３０°であり、前記サムネイルの斜め表示の角度がこの基準値を超える場合は、前記サムネイルが斜め表示されると判別される請求項３に記載の３Ｄ映像出力装置。
【請求項５】
前記サムネイルが３Ｄ表示される映像信号は、前記映像コンテンツから生成された右目用サムネイル画像が付加された右目用出力信号と、前記映像コンテンツから生成された左目用サムネイル画像が付加された左目用出力信号を備える請求項１に記載の３Ｄ映像出力装置。
【請求項６】
前記サムネイルが２Ｄ表示される映像信号は、前記映像コンテンツから生成された右目用サムネイル画像が付加された右目用出力信号と、前記映像コンテンツから生成された右目用サムネイル画像が付加された左目用出力信号を備える請求項１に記載の３Ｄ映像出力装置。
【請求項７】
前記サムネイルが２Ｄ表示される映像信号は、前記映像コンテンツから生成された左目用サムネイル画像が付加された右目用出力信号と、前記映像コンテンツから生成された左目用サムネイル画像が付加された左目用出力信号を備える請求項１に記載の３Ｄ映像出力装置。
【請求項８】
３Ｄ表示可能な映像コンテンツに係るサムネイルが、斜め表示されるかを判別する斜め表示判別部と、
前記サムネイルが斜め表示されると判別される場合は、２Ｄ表示されるように前記サムネイルに係る映像信号を出力し、前記サムネイルが斜め表示されないと判別される場合は、３Ｄ表示されるように前記サムネイルに係る映像信号を出力する映像信号出力部と、
前記出力された映像信号を受信し、サムネイルを表示する映像表示部を備える３Ｄ映像表示装置。
【請求項９】
３Ｄ表示可能な映像コンテンツに係るサムネイルが、斜め表示されるかを判別するステップと、
前記サムネイルが斜め表示されると判別される場合は、２Ｄ表示されるように前記サムネイルに係る映像信号を出力し、前記サムネイルが斜め表示されないと判別される場合は、３Ｄ表示されるように前記サムネイルに係る映像信号を出力するステップを備える３Ｄ映像出力方法。
【発明の詳細な説明】
【技術分野】
【０００１】
本発明の実施形態は、３Ｄ映像を表示可能な、３Ｄ映像表示装置に関する。
【背景技術】
【０００２】
近年、３Ｄ（３次元）映像を表示可能な３Ｄ映像表示装置が実用化されつつある。
３Ｄ映像表示装置においては、３Ｄ映像の表示用に作成された３Ｄ映像を受信し、表示する。
また、３Ｄ映像表示装置においては、映像コンテンツに係るサムネイルも表示可能である。
ここで、サムネイルとは、動画や静止画等の画像を縮小イメージで表現した画像である。例えば、サムネイルを用いて複数の映像コンテンツを並べて表示し、所望の映像コンテンツを選択することが可能である。そして、サムネイルを用いて選択された映像コンテンツは、ユーザによって視聴される。
【０００３】
また、一般の映像表示装置において、画面デザインや画面スペースの観点からも、正面画像や正面画像に対して所定の角度を持って斜めに回転した画像（斜め画像）等、種々の画像を表示したいという要求がある。
【０００４】
そして、サムネイルの表示形態も、映像コンテンツを正面から見た形態の正面画像や、映像コンテンツを回転させ、角度をつけて表示させた形態の斜め画像等が、一般に用いられる。
【０００５】
３Ｄ映像表示装置においても、映像コンテンツの選択のためにサムネイルを表示したいという要求があった。
しかし、３Ｄ映像表示は、右目用映像と左目用映像を用いて立体感を表現する技術である。
例えば、斜め画像においては、視点に変更が生じるため、サムネイル等の斜め画像を３Ｄ映像で表示すると破綻が生じ、ユーザに不快感を与える恐れがあるという問題があった。
【０００６】
このため、３Ｄ映像表示装置においては、サムネイル等を３Ｄ映像で表示する際の、ユーザに与える不快感を低減することが課題となっていた。
【先行技術文献】
【特許文献】
【０００７】
【特許文献１】特開２００１−２３６５２１号公報
【発明の概要】
【発明が解決しようとする課題】
【０００８】
３Ｄ映像表示装置において、サムネイル等を３Ｄ映像で表示する際の、ユーザに与える不快感を低減することが課題となっていた。
【課題を解決するための手段】
【０００９】
実施形態の３Ｄ映像出力装置は、３Ｄ表示可能な映像コンテンツに係るサムネイルの、表示角度に係る情報を受信する角度情報受信部を備える。
また、前記受信した角度情報に基づいて、前記サムネイルが斜め表示されるかを判別する回転判別部を備える。
また、前記サムネイルが斜め表示されると判別される場合は前記サムネイルが２Ｄ（２次元）表示されるように映像信号を出力し、前記サムネイルが斜め表示されないと判別される場合は前記サムネイルが３Ｄ表示されるように映像信号を出力する映像信号出力部を備える。
【図面の簡単な説明】
【００１０】
【図１】実施形態に係わる３Ｄ映像出力装置の外観を示す図。
【図２】実施形態に係わる３Ｄ映像出力装置の構成を示すブロック図。
【図３】実施形態に係わる３Ｄ映像出力装置の映像出力部の構成を示す図。
【図４】実施形態に係わる３Ｄ映像出力装置において、サムネイル画像が３Ｄで表示される正面出力画像を生成するようすを説明する図。
【図５】実施形態に係わる３Ｄ映像出力装置において、サムネイル画像が２Ｄで表示される斜め出力画像を生成するようすを説明する図。
【図６】実施形態に係わる３Ｄ映像出力装置において、サムネイル画像の斜め表示を判別し、判別結果に応じて３Ｄ表示または２Ｄ表示でサムネイル画像を出力するようすを説明するフローチャート。
【図７】実施形態に係わる３Ｄ映像出力装置における、表示装置へ表示されるサムネイル画像の具体的な表示例を示す図。
【図８】実施形態に係わる３Ｄ映像出力装置における、表示装置へ表示されるサムネイル画像の他の表示例を示す図。
【図９】実施形態に係わる３Ｄ映像出力装置における、表示装置へ表示されるサムネイル画像の他の表示例を示す図。
【図１０】実施形態に係わる３Ｄ映像出力装置における、サムネイル画像が付加された出力画像を生成する例を示す図。
【発明を実施するための形態】
【００１１】
以下、図面を参照し、実施の形態を説明する。
図１は、実施形態に係わる３Ｄ映像出力装置の外観を示す図である
符号１０はテレビ画面、符号１１はデジタルテレビジョン放送受信装置、符号１２は立体視用眼鏡（３Ｄメガネ）、符号１３はキャビネット、符号１４は支持台、符号１５は液晶表示パネル、符号１６はスピーカ、符号１７は操作部、符号１７ａは主電源スイッチ、符号１８はリモートコントローラ、符号１９は受光部、符号２０は基台、符号２１は着脱検出部である。
【００１２】
デジタルテレビジョン放送受信装置１１は、立体視映像（３Ｄまたは３次元）表示が可能である。ここでは、このデジタルテレビジョン放送受信装置１１の表示映像から立体視映像を認識するための立体視用眼鏡（３Ｄメガネ）１２を備えている。
【００１３】
デジタルテレビジョン放送受信装置１１は、キャビネット１３と、このキャビネット１３を支持する支持台１４から構成されている。そして、キャビネット１３には、その正面中央部に、映像表示部としての液晶表示パネル１５が配置されている。また、このキャビネット１３には、その両側面にそれぞれスピーカ１６が配置され、ステレオ音声再生が行なえるように構成されている。
【００１４】
また、このキャビネット１３には、その正面下部に、主電源スイッチ１７ａを含む操作部１７と、リモートコントローラ１８から送信される操作情報を受信するための受光部１９が配置されている。
【００１５】
支持台１４は、キャビネット１３の底面中央部に回動自在に連結され、所定の基台２０の水平面上に載置された状態で、キャビネット１３を起立させて支持している。
【００１６】
上記デジタルテレビジョン放送受信装置１１は、立体視用映像を表示する場合、右目用映像信号と左目用映像信号を生成して、液晶表示パネル１５に、右目用映像と左目用映像を交互に映像表示する。
【００１７】
また、このデジタルテレビジョン放送受信装置１１は、右目用映像を映像表示している期間と、左目用映像を映像表示している期間とをそれぞれ示すシャッタ制御信号ＳＣを生成し、立体視用眼鏡１２に出力する。
【００１８】
立体視用眼鏡１２は、デジタルテレビジョン放送受信装置１１から供給されるシャッタ制御信号ＳＣに基づいて、右目用映像の表示時に左目のシャッタを閉じ、左目用映像の表示時に右目のシャッタを閉じるように制御され、これにより、ユーザに立体視映像を認識させている。
【００１９】
また、上記立体視用眼鏡１２は、ユーザが装着しているか否か、つまり、ユーザが眼鏡を掛けているか外しているかを検出するための着脱検出部２１を備えている。そして、この着脱検出部２１から出力される着脱検出信号ＣＤは、デジタルテレビジョン放送受信装置１１に供給される。
【００２０】
このデジタルテレビジョン放送受信装置１１は、ユーザが立体視用眼鏡１２を装着している旨を示す着脱検出信号ＣＤが供給されたとき、液晶表示パネル１５に右目用映像と左目用映像を交互に映像表示して、立体視映像表示を実行する。
【００２１】
図２は、実施形態に係わる３Ｄ映像出力装置の構成を示すブロック図である。
符号２２はアンテナ、符号２３は入力端子、符号２４は選局復調部、符号２５はＴＳ分離部、符号２６は映像デコーダ、符号２７は映像フレームバッファ、符号２８は映像出力部、符号２９は音声バッファ、符号３０は音声出力部、符号３１は音声デコーダ、符号３２は入力端子である。
【００２２】
符号３３は制御部、符号３３ａはＣＰＵ、符号３３ｂはメモリ部、符号３４はＨＤＤ、符号３４ａはハードディスク、符号３５はネットワークインターフェース、符号３６は入出力端子である。
【００２３】
アンテナ２２で受信されたデジタルテレビジョン放送信号は、入力端子２３を介して選局復調部２４に供給される。この選局復調部２４は、入力されたデジタルテレビジョン放送信号から所望のチャンネルの信号を選局し、その選局した放送信号に復調処理を施してＴＳ（transport stream）を生成して出力する。
【００２４】
選局復調部２４から出力されたＴＳは、ＴＳ分離部２５に供給されて、映像成分と音声成分とに分離される。このうち、映像成分は、映像デコーダ２６によりデコード処理が施されて元のデジタルの映像信号に復元された後、映像フレームバッファ２７に格納される。
【００２５】
この映像フレームバッファ２７に格納された映像信号は、フレーム単位で映像出力部２８に読み出され、所定の信号処理が施された後、上記液晶表示パネル１５に供給されて映像表示に供される。
【００２６】
また、ＴＳ分離部２５で分離された音声成分は、音声バッファ２９に格納された後、音声出力部３０に読み出されて、所定の信号処理が施される。そして、音声出力部３０から出力された音声成分は、音声デコーダ３１によりデコード処理が施されて、デジタルの音声データに復元された後、アナログ化されてスピーカ１６により音声が再生される。
【００２７】
また、このデジタルテレビジョン放送受信装置１１は、入力端子３２を備えている。この入力端子３２には、例えばＤＶＤ（digital versatile disk）等の光ディスクに対して記録再生を行なう光ディスク記録再生機器や外付けＨＤＤ（hard disk drive）等のような、外部の記録再生機器から出力されるＴＳが供給されるようになっている。
【００２８】
入力端子３２に入力されたＴＳは、ＴＳ分離部２５に供給される。そして、ＴＳ分離部２５は、選局復調部２４から供給されるＴＳと入力端子３２から供給されるＴＳのいずれか一方を選択して、映像成分と音声成分とに分離するように動作する。
【００２９】
ここで、このデジタルテレビジョン放送受信装置１１は、上記した各種の受信動作を含む種々の動作を、制御部３３によって制御される。
制御部３３は、ＣＰＵ（central processing unit）３３ａを内蔵している。そして、操作部１７からの操作情報やリモートコントローラ１８から送信され、受光部１９で受信された操作情報を受け、その操作内容が反映されるように各部を制御する。
【００３０】
制御部３３は、メモリ部３３ｂを利用する。このメモリ部３３ｂは、ＣＰＵ３３ａが実行する制御プログラムを格納したＲＯＭ（read only memory）と、ＣＰＵ３３ａに作業エリアを提供するためのＲＡＭ（random access memory）と、各種の設定情報及び制御情報等が格納される不揮発性メモリとを有している。
【００３１】
また、制御部３３は、内蔵型のＨＤＤ３４に接続されている。この制御部３３は、ユーザによる操作に基づいて、映像デコーダ２６や音声デコーダ３１から得られるデジタルの映像信号や音声信号等に、暗号化処理や所定の記録フォーマットへの変換処理を施した後、ＨＤＤ３４に供給してハードディスク３４ａに記録させることができる。
【００３２】
また、制御部３３は、ユーザによる操作に基づいて、ＨＤＤ３４によりハードディスク３４ａから所望の映像信号や音声信号等を読み出させ、暗号の解読処理を施した後、映像フレームバッファ２７や音声デコーダ３１に供給することにより、映像表示や音声再生に供させることができる。
【００３３】
さらに、制御部３３は、ネットワークインターフェース３５及び入出力端子３６を介して、例えばインターネット等のネットワークに接続されている。
これにより、制御部３３は、ユーザによる操作に基づいて、ネットワーク上のサーバにアクセスして所望の映像信号や音声信号等を取得し、映像表示や音声再生に供させたり、ＨＤＤ３４のハードディスク３４ａに記録させたりすることができる。
【００３４】
映像出力部２８は、映像フレームバッファ２７からフレーム単位で供給された映像信号が通常の２次元表示用の映像信号である場合には、その映像信号に対して液晶表示パネル１５で表示可能なフレーム倍速変換処理を施した後、液晶表示パネル１５に供給して映像表示させる。
【００３５】
映像出力部２８は、映像フレームバッファ２７からフレーム単位で供給された映像信号が、立体視用の映像信号である場合には、その映像信号から右目用映像信号と左目用映像信号とをそれぞれ生成し、それらの映像信号を交互に液晶表示パネル１５に出力して映像表示に供させる。
【００３６】
このとき、映像出力部２８は、右目用映像を映像表示している期間と、左目用映像を映像表示している期間とをそれぞれ示すシャッタ制御信号ＳＣを生成し、出力端子３７を介して立体視用眼鏡１２に出力する。
【００３７】
立体視用眼鏡１２は、デジタルテレビジョン放送受信装置１１から供給されるシャッタ制御信号ＳＣに基づいて、右目用映像の表示時に左目のシャッタを閉じ、左目用映像の表示時に右目のシャッタを閉じるように制御され、これにより、ユーザに立体視映像が認識される。
【００３８】
なお、上記映像フレームバッファ２７からフレーム単位で供給される映像信号が、通常の２次元表示用の映像信号であるか、立体使用の映像信号であるかの判断は、例えば、制御部３３が、映像表示の対象となる映像信号に付された属性情報を検知することにより、行なうことができる。
【００３９】
また、立体視用眼鏡１２は、ユーザが装着しているか否かを検出するための、着脱検出部２１を備えている。この着脱検出部２１としては、例えば、圧力の有無によってユーザが装着しているか否かを検出するもの、発光した赤外線が液晶表示パネル１５面で反射されて受光されたか否かによってユーザが装着しているか否かを検出するもの、傾きによってユーザが装着しているか否かを検出するもの等々、種々の手法によるものが考えられる。
【００４０】
そして、この着脱検出部２１は、無線により着脱検出信号ＣＤを送信しており、送信された着脱検出信号ＣＤは映像出力部２８に受信される。
この映像出力部２８は、映像フレームバッファ２７から供給された映像信号が立体視用の映像信号であって、ユーザが立体視用眼鏡１２を装着している旨を示す着脱検出信号ＣＤが供給されているときには、その映像信号から右目用映像信号と左目用映像信号とをそれぞれ生成し、それらの映像信号を交互に液晶表示パネル１５に映像表示させて立体視映像表示を実行する。
【００４１】
また、この映像出力部２８は、ユーザが立体視用眼鏡１２を装着していない旨を示す着脱検出信号ＣＤが供給されたとき、受信した立体視用の映像信号を通常の２次元表示用の映像信号に変換し、その２次元表示用の映像信号に対して液晶表示パネル１５で表示可能なフレーム倍速変換処理を施した後、液晶表示パネル１５に供給して映像表示させる。
【００４２】
図３は、実施形態に係わる３Ｄ映像出力装置の映像出力部の構成を示す図である。
符号３８は入力端子、符号３９は２次元３次元（２Ｄ−３Ｄ）変換部、符号４０は左右映像分離部、符号４１は倍速変換部、符号４２はセレクタ、符号４３は左右クロストーク防止部、符号４４は選択信号生成部、符号４５は映像出力処理部、符号４６は出力端子、符号４７は出力端子、符号４８は受信部、符号４９は解析部である。
【００４３】
ここでは、上記映像出力部２８の構成の一例を示している。
上記のように、映像フレームバッファ２７から供給された映像信号は、入力端子３８を介して、２次元３次元（２Ｄ−３Ｄ）変換部３９及び左右映像分離部４０に供給される。
【００４４】
３次元２次元変換部３９は、２次元（２Ｄ）表示用の映像信号が入力されたとき、その映像信号を後段の倍速変換部４１に出力する。
また、３次元２次元変換部３９は、立体視用の映像信号が入力されたとき、その映像信号を２次元表示用の映像信号に変換して倍速変換部４１に出力する。
倍速変換部４１は、入力された２次元表示用の映像信号に対して、例えばフレーム間の動きベクトルを利用した補間フレームを作成する等の手法により、液晶表示パネル１５で表示可能なフレーム倍速変換処理を施し、セレクタ４２の入力端に出力する。
【００４５】
また、左右映像分離部４０は、立体視用の映像信号が入力されたとき、その映像信号を右目用映像信号と左目用映像信号とに分離し、それらの映像信号を倍速で交互に左右クロストーク防止部４３に出力する。
【００４６】
この左右クロストーク防止部４３は、交互に入力される右目用映像信号と左目用映像信号との間に黒映像信号を挿入して、右目用映像と左目用映像との切り替わり時の干渉（クロストーク）を防止する処理を施した後、セレクタ４２の入力端に出力する。
【００４７】
セレクタ４２は、倍速変換部４１及び、左右クロストーク防止部４３から供給される映像信号を、選択信号生成部４４から出力される選択信号に基づいて選択し、その選択した映像信号を映像出力処理部４５に出力する。
【００４８】
映像出力処理部４５は、入力された映像信号に対して、上記液晶表示パネル１５での映像表示に供させるための信号処理を施し、出力端子４６を介して液晶表示パネル１５に出力する。
【００４９】
また、映像出力処理部４５は、入力された映像信号が立体視用の映像信号である場合に、右目用映像を映像表示している期間と、左目用映像を映像表示している期間とを示すシャッタ制御信号ＳＣを生成し、出力端子４７を介して上記立体視用眼鏡１２に出力する。
【００５０】
立体視用眼鏡１２は、映像出力処理部４５から供給されるシャッタ制御信号ＳＣに基づいて、右目用映像の表示時に左目のシャッタを閉じ、左目用映像の表示時に右目のシャッタを閉じるように制御される。これにより、ユーザに立体視映像が認識される。
【００５１】
また、立体視用眼鏡１２が備えられた着脱検出部２１から、無線により出力される着脱検出信号ＣＤは、映像出力部２８内の受信部４８に受信される。
受信部４８で受信された着脱検出信号ＣＤは、解析部４９に供給され、ユーザが立体視用眼鏡１２を装着しているか否かが判断される。
解析部４９は、ユーザが立体視用眼鏡１２を装着していると判断した場合は、選択信号生成部４４に対して、左右クロストーク防止部４３から出力される映像信号を映像信号処理部４５に導くように、セレクタ４２を切り替える選択信号を発生させる。
【００５２】
また、解析部４９は、ユーザが立体視用眼鏡１２を装着していないと判断した場合は、選択信号生成部４４に対して、倍速変換部４１から出力される映像信号を映像信号処理部４５に導くように、セレクタ４２を切り替える選択信号を発生させる。
【００５３】
上記映像出力部２８においては、立体視用の映像信号を液晶表示パネル１５での映像表示に供させている状態で、ユーザが立体視用眼鏡１２を外すと、自動的に立体視用の映像信号を２次元表示用に変換した映像信号が液晶表示パネル１５での映像表示に供される。
【００５４】
ユーザが立体視用眼鏡１２を装着すると、自動的に立体視用の映像信号が液晶表示パネル１５での映像表示に供され、ユーザが立体視映像を認識することができるようになる。
【００５５】
符号５１は記憶部、符号５２は３ＤＧＵＩ処理部（出力画像作成部）、符号５３は画像合成部である。２Ｄは２次元（平面）表示。３Ｄは３次元（立体）表示である。
【００５６】
この実施の形態においては、後述するように、３Ｄ表示可能な映像コンテンツに係るサムネイルを、正面表示されるか、斜め表示されるかに応じて、３Ｄ表示や２Ｄ表示する。
【００５７】
映像出力部２８は、記憶部５１および３ＤＧＵＩ処理部（出力画像作成部）５２を備えている。
記憶部５１は、例えばＨＤＤ等の磁気記憶装置やＥＰＲＯＭ等の半導体記憶装置で構成される。そして、記憶部５１には、３Ｄ表示可能な映像コンテンツに係るサムネイルを３ＤＧＵＩや２ＤＧＵＩとして表示するプログラム（３ＤＧＵＩ表示プログラム）が記憶されている。ここで、ＧＵＩはGraphical User Interfaceの略である。
【００５８】
また、記憶部５１には、３次元モデル（３Ｄモデル）および立体視映像コンテンツが記憶されている。
３ＤＧＵＩ処理部（出力画像作成部）５２は、画像合成部５３を構成する。画像合成部５３は、３Ｄ表示可能な映像コンテンツに係るサムネイルを、３ＤＧＵＩや２ＤＧＵＩとして表示するために、次に説明するように、合成する。
【００５９】
図４は、実施形態に係わる３Ｄ映像出力装置において、サムネイル画像が３Ｄで表示される正面出力画像を生成するようすを説明する図である。
この実施の形態においては、正面出力画像は、ＴＶの正面に位置する視聴者に向けて出力表示される。
また、斜め出力画像は、正面に出力される画像以外の画像である。例えば、正面出力画像に比べ、所定の角度回転した画像である。あるいは、例えば、遠近感を持たせるために、正面出力画像の形を変形し円形を歪ませた図形や、長方形で表現される正面出力画像を台形等に変形させた図形は、それらの一例である。
【００６０】
ここでは、サムネイル画像の３Ｄ表示は、次のように作成され、出力される。
まず、３Ｄ表示を行うための左目用、右目用の下地画像を生成する。
次に、左目用、右目用のサムネイル画像を作成し、これらの左目用、右目用の下地画像に貼り付ける。
サムネイル画像は、テクスチャ・マッピングにより、下地画像にマッピングされる。例えば、サムネイル画像は、上記映像コンテンツから予めマッピング画像が作成される。
【００６１】
サムネイル画像は、動画でも良いし静止画でも良い。例えば、映像コンテンツの画像を縮小イメージで表現した画像である。
ここでは、例えば、ＨＤＤに録画された映像コンテンツや放送から取得された映像コンテンツをユーザが選択する際に使用する、コンテンツの選択画面として表示される画像である。例えば、上記映像コンテンツを縮小したサムネイルを用い、複数の映像コンテンツが並べて表示される。
【００６２】
そして、下地画像にサムネイル画像が貼り付けられたサムネイル出力画像が出力される。３Ｄ表示を行うサムネイル出力画像は、左目用、右目用の画像が、上記説明したように制御され、出力される。
【００６３】
図４（ａ）は、正面画像用の左目出力画像を出力するための下地画像である左目用正面下地画像である。また、図４（ｂ）は、正面画像用の右目出力画像を出力するための下地画像である右目用正面下地画像である。これらは、例えば、３ＤＧＵＩ表示プログラムで生成される。
【００６４】
図４（ｃ）は、正面画像用の左目出力画像を出力するためのサムネイル画像である左目用正面サムネイル画像である。また、図４（ｄ）は、正面画像用の右目出力画像を出力するための右目サムネイル画像である右目用正面サムネイル画像である。これらは、例えば、上記立体視映像コンテンツ（３Ｄ表示用の映像コンテンツ）から３ＤＧＵＩ表示プログラムを用いて生成される。
【００６５】
符号５３は、画像合成部である。ここでは、上記図４（ａ）に示す左目用正面下地画像と、図４（ｃ）に示す左目用正面サムネイル画像が合成され、正面画像用の左目出力画像として出力される。
【００６６】
また、図４（ｂ）に示す右目用正面下地画像と、図４（ｄ）に示す右目用正面サムネイル画像が合成され、正面画像用の右目出力画像として出力される。
図４（ｅ）は、画像合成部５３から出力された正面画像用の左目出力画像である。また、図４（ｆ）は、画像合成部５３から出力された正面画像用の右目出力画像である。
【００６７】
これらの、正面画像用の左目出力画像と正面画像用の右目出力画像が出力され、ユーザは、サムネイル画像を３Ｄで視聴できる。
すなわち、サムネイル画像は、３ＤＧＵＩ処理部（出力画像作成部）５２に構成される画像合成部５３で生成される。
また、後述するように、サムネイルが斜め表示されない場合は、サムネイル画像は３Ｄ表示される。
図４（ａ）は左目用の下地映像、図４（ｂ）は右目用の下地映像である。また、図４（ｃ）は、左目用のサムネイル映像、図４（ｄ）は、右目用のサムネイル映像である。これらの画像が画像合成部５３に入力される。
【００６８】
サムネイル画像を３Ｄ表示する場合は、画像合成部５３において、図４（ａ）に示す左目用の下地映像に、図４（ｃ）に示す左目用のサムネイル画像を付加し、左目用の出力画像として出力する。また、図４（ｂ）に示す右目用の下地映像に、図４（ｄ）に示す右目用のサムネイル画像を付加し、右目用の出力画像として出力する。
【００６９】
図４（ｅ）は、画像合成部５３から出力された左目用の出力画像、図４（ｆ）は、画像合成部５３から出力された右目用の出力画像である。
この画像合成部５３から出力された、サムネイル画像が付加された、左目用の出力画像（図４（ｅ））および右目用の出力画像（図４（ｆ））は、上記のように制御され、デジタルテレビジョン放送受信装置に、３Ｄ（３次元）で表示される。この３Ｄ表示のサムネイル画像は、例えば、３Ｄメガネ１２をかけた視聴者に視聴される。
【００７０】
図５は、実施形態に係わる３Ｄ映像出力装置において、サムネイル画像が２Ｄで表示される斜め出力画像を生成するようすを説明する図である。
３Ｄ表示で斜め出力画像を出力すると、出力画像は、ＴＶの正面からずれて出力される可能性がある。
そこで、ここでは、斜め出力画像を２Ｄ表示で出力する。
まず、上記と同様に、２Ｄ表示を行うための左目用、右目用の下地画像を生成する。しかし、上記ユーザの違和感を低減させるため、２Ｄ表示を行うための左目用、右目用の下地画像は同一の画像を使用する。ここでは、例えば、左目用下地画像を左目用、右目用の下地画像に用いる。
【００７１】
次に、この左目用、右目用の下地画像（左目用下地画像）に左目用、右目用の２Ｄサムネイル画像を貼り付ける。
これらの左目用、右目用の２Ｄサムネイル画像も上記下地画像と同様に、ユーザの違和感を低減させるため、２Ｄ表示を行う左目用、右目用のサムネイル画像は同一の画像を使用する。ここでは、例えば、左目用サムネイル画像を左目用、右目用の下地画像に用いる。
【００７２】
そして、左目用、右目用共に、２Ｄ下地画像（左目用下地画像）に２Ｄサムネイル画像（左目用サムネイル画像）が貼り付けられたサムネイル出力画像が出力される。
【００７３】
そして、２Ｄ表示を行うサムネイル出力画像が出力される。
また、斜め出力画像の斜めの回転は、例えば、次のように作成される。
まず、決められた回転角度に応じ、左目用、右目用の下地画像をそれぞれ斜めに回転させる。ここでの回転は、上記のように、遠近感を表現するための変形や縮小でも可能である。
【００７４】
また、２Ｄサムネイル画像もテクスチャ・マッピングを行う。ここでは、映像コンテンツから予めマッピング画像を作成して、決められた回転角度に応じて回転させ、下地画像にマッピングする。
【００７５】
すなわち、図５（ａ）は左目用の下地映像、図５（ｂ）は右目用の下地映像である。また、図５（ｃ）は、左目用のサムネイル映像、図５（ｄ）は、右目用のサムネイル映像である。これらの画像が画像合成部５３に入力される。
【００７６】
サムネイル画像を２Ｄ表示する場合は、画像合成部５３において、例えば、図５（ａ）に示す左目用の下地映像に、図５（ｄ）に示す右目用のサムネイル画像を付加し、左目用の出力画像として出力する。
【００７７】
また、図５（ｂ）に示す右目用の下地映像に、図５（ｄ）に示す右目用のサムネイル画像を付加し、右目用の出力画像として出力する。
図５（ｅ）は、画像合成部５３から出力された左目用の出力画像、図５（ｆ）は、画像合成部５３から出力された右目用の出力画像である。
この画像合成部５３から出力された、サムネイル画像が付加された、左目用の出力画像（図５（ｅ））および右目用の出力画像（図５（ｆ））は、左右の出力画像のどちらも右目用のサムネイル画像が付加され、２Ｄ（２次元）表示のサムネイル画像が表示される。
【００７８】
尚、上記説明では、２Ｄ表示のサムネイル画像として、左右の出力画像のどちらにも右目用のサムネイル画像を付加する説明を行ったが、これに代えて、２Ｄ表示のサムネイル画像として、左右の出力画像のどちらにも左目用のサムネイル画像を付加することも可能である。
【００７９】
この２Ｄ（２次元）表示のサムネイルは、視聴者が３Ｄメガネ１２をかけて視聴しても、２Ｄ（２次元）で表示される。
図６は、実施形態に係わる３Ｄ映像出力装置において、サムネイル画像の斜め表示を判別し、判別結果に応じて３Ｄ表示または２Ｄ表示でサムネイル画像を出力するようすを説明するフローチャートである。
【００８０】
符号Ｓ１００は、ここでの開始ステップである。続いて、符合Ｓ１０１を付したステップへ進む。
符号Ｓ１０１は、上記のように、サムネイル画像を除く、右目用下地画像、左目用下地画像を描画するステップである。続いて、符合Ｓ１０２を付したステップへ進む。
【００８１】
符号Ｓ１０２は、出力画像に付加する（貼り付ける）サムネイルはあるかを判別するステップである。出力画像に付加する（貼り付ける）サムネイルはあると判別された場合は、符合Ｓ１０３を付したステップへ進む（Ｙｅｓ）。出力画像に付加する（貼り付ける）サムネイルはあると判別されない場合は、符合Ｓ１０９を付したステップへ進む（Ｎｏ）。
【００８２】
符号Ｓ１０３は、コンテンツ選択に係る、サムネイルの表示形式を決定するステップである。例えば、３つのサムネイル画像を並べて表示する場合に、中心に表示される１つのサムネイル画像は正面画像で表示され、その両脇に表示される２つのサムネイル画像は斜め画像にする。続いて、符号１０４を付したステップへ進む。
【００８３】
符号１０４は、各サムネイル画像の表示位置、傾き角度のパラメータを取得するステップである。例えば、上記中心に表示される１つのサムネイル画像（正面画像）の画面上の例えばＸ軸、Ｙ軸で表現される表示位置、斜め表示される場合の傾き角度を取得する。例えば、正面画像の場合は、傾き角度がＸ軸方向、Ｙ軸方向共に０°等である。
【００８４】
また、その両脇に表示される２つのサムネイル画像もそれぞれ同様に、画面上のＸ軸、Ｙ軸で表現される表示位置、斜め表示される場合の傾き角度を取得する。続いて、符合Ｓ１０５を付したステップへ進む。
【００８５】
符号Ｓ１０５は、上記取得されたパラメータを用い、それぞれのサムネイル画像は斜め画像かを判別するステップである。斜め画像かの判定には、例えば、傾き角度が用いられる。そして、斜め画像であると判別されたサムネイル画像の場合は、符号Ｓ１０６を付したステップへ進む（Ｙｅｓ）。斜め画像であると判別されないサムネイル画像の場合は、符号Ｓ１０８を付したステップへ進む（Ｎｏ）。
【００８６】
符号Ｓ１０６は、斜め画像であると判別されたサムネイル画像について、さらに、サムネイル画像の傾き角度は閾値を超えるかを判別するステップである。ここでは、例えば３０°を閾値とする。そして、対象のサムネイル画像の傾き角度は閾値を超える、と判別された場合は、符合Ｓ１０７を付したステップへ進む（Ｙｅｓ）。対象のサムネイル画像の傾き角度は閾値を超える、と判別されない場合は、符合Ｓ１０８を付したステップへ進む（Ｎｏ）。
【００８７】
符号Ｓ１０７は、対象のサムネイル画像を２Ｄ出力するステップである。サムネイル画像の２Ｄ出力は、上記説明したように、例えば、右目用出力画像にサムネイルの右目用画像、左目用出力画像にもサムネイルの右目用画像を描画する。尚、上記説明したように、サムネイル画像の２Ｄ出力は、右目用出力画像にサムネイルの左目用画像、左目用出力画像にもサムネイルの左目用画像を描画しても良い。続いて、符合Ｓ１０８を付したステップへ進む。
【００８８】
符号Ｓ１０８は、対象のサムネイル画像を３Ｄ出力するステップである。この時、上記のように、右目用出力画像として、サムネイル画像の右目用画像を付加し、左目用出力画像として、サムネイルの左目用画像を付加し、出力画像を描画する。続いて、符合Ｓ１０９を付したステップへ進む。
【００８９】
符号Ｓ１０９は、出力画像の描画は完了したかを判別するステップである。出力画像の描画は完了したと判別される場合は、符合Ｓ１１０を付したステップへ進む（Ｙｅｓ）。出力画像の描画は完了したと判別されない場合は、符合Ｓ１０１を付したステップへ進み、上記処理を繰り返す（Ｎｏ）。
【００９０】
符号Ｓ１１０は、終了ステップであり、ここでの処理は終了する。
この実施の形態においては、上記のように、サムネイル画像等のＧＵＩ表示を２Ｄと３Ｄで動的に切り替えることが可能である。これにより、ＧＵＩ表示の違和感を低減することが可能になる。
【００９１】
図７は、実施形態に係わる３Ｄ映像出力装置における、表示装置へ表示されるサムネイル画像の具体的な表示例を示す図である。
＜実施例１＞
この例では、コンテンツを選択するためのコンテンツ選択画面を２Ｄで表示し、正面画像が選択された場合は、選択されたコンテンツの再生指示画面を３Ｄで表示する。図の左側は左目用出力画像、図の右側は左目用出力画像である。
【００９２】
図７（ａ）は、コンテンツ選択画面である。
ここでは、３つのサムネイル画像が並べて表示される。そして、斜め画像６１は向かって左側、正面画像６２は中央、斜め画像６３は向かって右側に表示される。
そして、左目用出力画像において、斜め画像６１は左目用サムネイル画像、正面画像６２は左目用サムネイル画像、斜め画像６３は左目用サムネイル画像が表示される。
【００９３】
また、右目用出力画像においても、斜め画像６１は左目用サムネイル画像、正面画像６２は左目用サムネイル画像、斜め画像６３は左目用サムネイル画像が表示される。
【００９４】
すなわち、ここでは、図７（ａ）に示す、コンテンツ選択画面は２Ｄで表示される。
図７（ｂ）は、選択されたコンテンツの再生指示画面である。
上記のように、正面画像６２は、３Ｄ表示を行うことが可能である。そこで、コンテンツの再生指示画面として、正面画像６２が選択された場合は、サムネイル画像を３Ｄで表示する。
【００９５】
すなわち、左目用出力画像において、正面画像６２ａは左目用サムネイル画像が表示される。
また、右目用出力画像において、正面画像６２ｂは右目用サムネイル画像が表示される。
そして、例えば、３Ｄメガネ１２をかけた視聴者は、左目用出力画像と右目用出力画像で構成された３Ｄのサムネイル画像表示を視聴しながら、再生指示や再生のキャンセルを指示することが可能である。
【００９６】
図８は、実施形態に係わる３Ｄ映像出力装置における、表示装置へ表示されるサムネイル画像の他の表示例を示す図である。
＜実施例２＞
この例では、コンテンツを選択するためのコンテンツ選択画面を、所定時間毎に切替えて表示する。例えば、０．５秒毎、あるいは１秒毎に切替える。図の左側は左目用出力画像、図の右側は左目用出力画像である。
【００９７】
図８（ａ）は、斜め画像６１を表示する。
そして、左目用出力画像において、斜め画像６１は左目用サムネイル画像が表示される。また、右目用出力画像においても、斜め画像６１は左目用サムネイル画像が表示される。ここでは、サムネイル画像は２Ｄで表示される。
【００９８】
図８（ｂ）は、正面画像６２ａおよび６２ｂを表示する。
そして、左目用出力画像において、正面画像６２ａは左目用サムネイル画像が表示される。また、右目用出力画像においては、正面画像６２ｂは右目用サムネイル画像が表示される。ここでは、サムネイル画像は３Ｄで表示される。
【００９９】
図８（ｃ）は、斜め画像６３を表示する。
そして、左目用出力画像において、斜め画像６３は左目用サムネイル画像が表示される。また、右目用出力画像においても、斜め画像６３は左目用サムネイル画像が表示される。ここでは、サムネイル画像は２Ｄで表示される。
【０１００】
すなわち、ここでは、サムネイル画像が、斜め画像、正面画像、斜め画像と切り替わって表示されるに連れて、サムネイル画像の表示が、２Ｄ表示、３Ｄ表示、２Ｄ表示と切り替わる。
【０１０１】
図９は、実施形態に係わる３Ｄ映像出力装置における、表示装置へ表示されるサムネイル画像の他の表示例を示す図である。
＜実施例３＞
この例では、コンテンツを選択するためのコンテンツ選択画面において、２Ｄ表示のサムネイル画像と３Ｄ表示のサムネイル画像を混在させて表示する。
すなわち、ここでは、正面画像６２を３Ｄ表示で表示し、斜め画像６１および斜め画像６３は２Ｄで表示する。
そして、左目用出力画像において、斜め画像６１は左目用サムネイル画像、正面画像６２は左目用サムネイル画像、斜め画像６３は左目用サムネイル画像が表示される。
【０１０２】
また、右目用出力画像において、斜め画像６１は左目用サムネイル画像、正面画像６２は右目用サムネイル画像、斜め画像６３は左目用サムネイル画像が表示される。
【０１０３】
そして、上記のように構成することによって、この発明の実施の形態において、３Ｄ映像表示装置において、映像コンテンツに係るサムネイルを３Ｄ映像で表示する際の、ユーザに与える不快感を低減することが可能になる。
【０１０４】
なお、上記実施形態は、記述そのものに限定されるものではなく、実施段階では、その趣旨を逸脱しない範囲で、構成要素を種々変形して具体化することが可能である。
【符号の説明】
【０１０５】
１０…テレビ画面、１１…デジタルテレビジョン放送受信装置、１２…立体視用眼鏡（３Ｄメガネ）、１３…キャビネット、１４…支持台、１５…液晶表示パネル、１６…スピーカ、１７…操作部、１７ａ…主電源スイッチ、１８…リモートコントローラ、１９…受光部、２０…基台、２１…着脱検出部、２２…アンテナ、２３…入力端子、２４…選局復調部、２５…ＴＳ分離部、２６…映像デコーダ、２７…映像フレームバッファ、２８…映像出力部、２９…音声バッファ、３０…音声出力部、３１…音声デコーダ、３２…入力端子、３３…制御部、３３ａ…ＣＰＵ、３３ｂ…メモリ部、３４…ＨＤＤ、３４ａ…ハードディスク、３５…ネットワークインターフェース、３６…入出力端子、３８…入力端子、３９…２次元３次元（２Ｄ−３Ｄ）変換部、４０…左右映像分離部、４１…倍速変換部、４２…セレクタ、４３…左右クロストーク防止部、４４…選択信号生成部、４５…映像出力処理部、４６…出力端子、４７…出力端子、４８…受信部、４９…解析部、５１…記憶部、５２…３ＤＧＵＩ処理部（出力画像作成部）、５３…画像合成部（サムネイル画像作成部）、６１…斜め画像、６２…正面画像、６２ａ…正面画像（左目用サムネイル画像）、６２ｂ…正面画像（右目用サムネイル画像）、６３…斜め画像。
【図１】
2012019414.tif 000003
【図２】
2012019414.tif 000004
【図３】
2012019414.tif 000005
【図４】
2012019414.tif 000006
【図５】
2012019414.tif 000007
【図６】
2012019414.tif 000008
【図７】
2012019414.tif 000009
【図８】
2012019414.tif 000010
【図９】
2012019414.tif 000011
【図１０】
2012019414.tif 000012
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
３Ｄ表示可能な映像コンテンツに係るサムネイルが、斜め表示されるかを判別する斜め表示判別部と、
前記サムネイルが斜め表示されると判別される場合は、２Ｄ表示されるように前記サムネイルに係る映像信号を出力し、前記サムネイルが斜め表示されないと判別される場合は、３Ｄ表示されるように前記サムネイルに係る映像信号を出力する映像信号出力部を備える３Ｄ映像出力装置。
【請求項２】
前記斜め表示判別部は、３Ｄ表示可能な映像コンテンツに係るサムネイルの表示角度を用いて、サムネイルが斜め表示されるかを判別する請求項１に記載の３Ｄ映像出力装置。
【請求項３】
前記サムネイルの表示角度は、予め設けられた基準値と比較される請求項２に記載の３Ｄ映像出力装置。
【請求項４】
前記基準値は角度３０°であり、前記サムネイルの斜め表示の角度がこの基準値を超える場合は、前記サムネイルが斜め表示されると判別される請求項３に記載の３Ｄ映像出力装置。
【請求項５】
前記サムネイルが３Ｄ表示される映像信号は、前記映像コンテンツから生成された右目用サムネイル画像が付加された右目用出力信号と、前記映像コンテンツから生成された左目用サムネイル画像が付加された左目用出力信号を備える請求項１に記載の３Ｄ映像出力装置。
【請求項６】
前記サムネイルが２Ｄ表示される映像信号は、前記映像コンテンツから生成された右目用サムネイル画像が付加された右目用出力信号と、前記映像コンテンツから生成された右目用サムネイル画像が付加された左目用出力信号を備える請求項１に記載の３Ｄ映像出力装置。
【請求項７】
前記サムネイルが２Ｄ表示される映像信号は、前記映像コンテンツから生成された左目用サムネイル画像が付加された右目用出力信号と、前記映像コンテンツから生成された左目用サムネイル画像が付加された左目用出力信号を備える請求項１に記載の３Ｄ映像出力装置。
【請求項８】
３Ｄ表示可能な映像コンテンツに係るサムネイルが、斜め表示されるかを判別する斜め表示判別部と、
前記サムネイルが斜め表示されると判別される場合は、２Ｄ表示されるように前記サムネイルに係る映像信号を出力し、前記サムネイルが斜め表示されないと判別される場合は、３Ｄ表示されるように前記サムネイルに係る映像信号を出力する映像信号出力部と、前記出力された映像信号を受信し、サムネイルを表示する映像表示部を備える３Ｄ映像表示装置。
【請求項９】
３Ｄ表示可能な映像コンテンツに係るサムネイルが、斜め表示されるかを判別するステップと、
前記サムネイルが斜め表示されると判別される場合は、２Ｄ表示されるように前記サムネイルに係る映像信号を出力し、前記サムネイルが斜め表示されないと判別される場合は、３Ｄ表示されるように前記サムネイルに係る映像信号を出力するステップを備える３Ｄ映像出力方法。
【手続補正２】
【補正対象書類名】明細書
【補正対象項目名】０００９
【補正方法】変更
【補正の内容】
【０００９】
実施形態の３Ｄ映像出力装置は、斜め表示判別部と映像信号出力部とを備える。前記斜め表示判別部は３Ｄ表示可能な映像コンテンツに係るサムネイルが、斜め表示されるかを判別する。前記映像信号出力部は前記サムネイルが斜め表示されると判別される場合は、２Ｄ表示されるように前記サムネイルに係る映像信号を出力し、前記サムネイルが斜め表示されないと判別される場合は、３Ｄ表示されるように前記サムネイルに係る映像信号を出力する。
【手続補正３】
【補正対象書類名】明細書
【補正対象項目名】００１０
【補正方法】変更
【補正の内容】
【００１０】
【図１】実施形態に係わる３Ｄ映像出力装置の外観を示す図。
【図２】実施形態に係わる３Ｄ映像出力装置の構成を示すブロック図。
【図３】実施形態に係わる３Ｄ映像出力装置の映像出力部の構成を示す図。
【図４】実施形態に係わる３Ｄ映像出力装置において、サムネイル画像が３Ｄで表示される正面出力画像を生成する様子を説明する図。
【図５】実施形態に係わる３Ｄ映像出力装置において、サムネイル画像が２Ｄで表示される斜め出力画像を生成する様子を説明する図。
【図６】実施形態に係わる３Ｄ映像出力装置において、サムネイル画像の斜め表示を判別し、判別結果に応じて３Ｄ表示または２Ｄ表示でサムネイル画像を出力する様子を説明するフローチャート。
【図７】実施形態に係わる３Ｄ映像出力装置における、表示装置へ表示されるサムネイル画像の具体的な表示例を示す図。
【図８】実施形態に係わる３Ｄ映像出力装置における、表示装置へ表示されるサムネイル画像の他の表示例を示す図。
【図９】実施形態に係わる３Ｄ映像出力装置における、表示装置へ表示されるサムネイル画像の他の表示例を示す図。
【図１０】実施形態に係わる３Ｄ映像出力装置における、サムネイル画像が付加された出力画像を生成する例を示す図。
【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
３Ｄ表示可能な映像コンテンツに係るサムネイルが、正面画像に対して所定の角度を持って斜めに回転して表示されるかを判別する斜め表示判別部と、
前記サムネイルが斜めに回転して表示されると判別される場合は、２Ｄ表示されるように、前記サムネイルが斜めに回転して表示されないと判別される場合は、３Ｄ表示されるように、前記サムネイルに係る映像信号を出力する映像信号出力部と
を備える３Ｄ映像出力装置。
【請求項２】
前記斜め表示判別部は、３Ｄ表示可能な映像コンテンツに係るサムネイルの表示角度を用いて、サムネイルが斜めに回転して表示されるかを判別する請求項１に記載の３Ｄ映像出力装置。
【請求項３】
前記サムネイルの表示角度は、予め設けられた基準値と比較される請求項２に記載の３Ｄ映像出力装置。
【請求項４】
前記基準値は角度３０°であり、前記サムネイルの斜め回転表示の角度がこの基準値を超える場合は、前記サムネイルが斜め回転表示されると判別される請求項３に記載の３Ｄ映像出力装置。
【請求項５】
前記サムネイルが３Ｄ表示される映像信号は、前記映像コンテンツから生成された右目用サムネイル画像が付加された右目用出力信号と、前記映像コンテンツから生成された左目用サムネイル画像が付加された左目用出力信号を備える請求項１に記載の３Ｄ映像出力装置。
【請求項６】
前記サムネイルが２Ｄ表示される映像信号は、前記映像コンテンツから生成された右目用サムネイル画像が付加された右目用出力信号と、前記映像コンテンツから生成された右目用サムネイル画像が付加された左目用出力信号を備える請求項１に記載の３Ｄ映像出力装置。
【請求項７】
前記サムネイルが２Ｄ表示される映像信号は、前記映像コンテンツから生成された左目用サムネイル画像が付加された右目用出力信号と、前記映像コンテンツから生成された左目用サムネイル画像が付加された左目用出力信号を備える請求項１に記載の３Ｄ映像出力装置。
【請求項８】
３Ｄ表示可能な映像コンテンツに係るサムネイルが、正面画像に対して所定の角度を持って斜めに回転して表示されるかを判別する斜め表示判別部と、
前記サムネイルが斜めに回転して表示されると判別される場合は、２Ｄ表示されるように、前記サムネイルが斜めに回転して表示されないと判別される場合は、３Ｄ表示されるように、前記サムネイルに係る映像信号を出力する映像信号出力部と、
前記出力された映像信号を受信し、サムネイルを表示する映像表示部と
を備える３Ｄ映像表示装置。
【請求項９】
３Ｄ表示可能な映像コンテンツに係るサムネイルが、正面画像に対して所定の角度を持って斜めに回転して表示されるかを判別するステップと、
前記サムネイルが斜めに回転して表示されると判別される場合は、２Ｄ表示されるように、前記サムネイルが斜めに回転して表示されないと判別される場合は、３Ｄ表示されるように、前記サムネイルに係る映像信号を出力するステップと
を備える３Ｄ映像出力方法。
【手続補正２】
【補正対象書類名】明細書
【補正対象項目名】０００９
【補正方法】変更
【補正の内容】
【０００９】
実施形態の３Ｄ映像出力装置は、斜め表示判別部と映像信号出力部とを備える。前記斜め表示判別部は３Ｄ表示可能な映像コンテンツに係るサムネイルが、正面画像に対して所定の角度を持って斜めに回転して表示されるかを判別する。前記映像信号出力部は前記サムネイルが斜めに回転して表示されると判別される場合は、２Ｄ表示されるように、前記サムネイルが斜めに回転して表示されないと判別される場合は、３Ｄ表示されるように、前記サムネイルに係る映像信号を出力する。